(57)【要約】【課題】片手で容易に開くことのできる２つ折りの財布を提供する。【解決手段】少なくとも硬貨を収納するための財布１は、第１部分１１および第２部分１２を有しており、第２部分１２に硬貨を収納するための収納部（具体的には、ポケット１６）が設けられており、第１部分１１が第２部分１２に折り畳まれることにより２つ折り状態となる本体１０と、第３部分３１および第４部分３２を有しており、第３部分３１を第４部分３２に折り畳むことができるようになっており、第４部分３２が第２部分１２または収納部に取り付けられた補強部材３０とを備えている。また、財布１は、本体１０が２つ折り状態となっているときに、補強部材３０の第４部分３２が押圧されると第３部分３１が第４部分３２から開くことにより第１部分１１が第３部分３１により押されて本体１０が２つ折りの状態から開くようになっている。【選択図】図１２
2020031807.tif 000002
【特許請求の範囲】
【請求項１】
少なくとも硬貨を収納するための財布であって、
第１部分および第２部分を有しており、前記第２部分に硬貨を収納するための収納部が設けられており、前記第１部分が前記第２部分に折り畳まれることにより２つ折り状態となる本体と、
２つ折り状態となっているときの前記本体の内側に設けられ、第３部分および第４部分を有しており、前記第３部分を前記第４部分に折り畳むことができるようになっており、前記第４部分が前記第２部分または前記収納部に取り付けられた補強部材と、
を備え、
前記本体が２つ折り状態となっているときに、前記補強部材の前記第４部分が押圧されると前記第３部分が前記第４部分から開くことにより前記第１部分が前記第３部分により押されて前記本体が２つ折りの状態から開く、財布。
【請求項２】
前記補強部材は、前記第４部分の両側部が互いに接近する方向に押圧されると前記第３部分が前記第４部分から開くような構成となっている、請求項１記載の財布。
【請求項３】
前記補強部材の前記第４部分には折り目が形成されており、
前記補強部材は、前記第４部分の両側部が互いに接近する方向に押圧されたときに当該第４部分が前記折り目に沿って変形することにより前記第３部分が前記第４部分から開くようになっている、請求項２記載の財布。
【請求項４】
前記第４部分に形成されている前記折り目の前記第３部分への延長線は、前記第３部分と前記第４部分との間の境界線と交差する、請求項３記載の財布。
【請求項５】
前記補強部材の前記第３部分には、前記本体が開かれたときに硬貨が落ちないよう受け止めるための受け部分が設けられている、請求項１乃至４のいずれか一項に記載の財布。
【請求項６】
前記補強部材の前記第３部分には折り目が形成されており、
前記補強部材において、前記第４部分が押圧されたときに前記受け部分が前記第３部分から離間する方向に移動することにより硬貨を受け止めるための空間が形成される、請求項５記載の財布。
【発明の詳細な説明】
【技術分野】
【０００１】
本発明は、片手で容易に開くことができる２つ折りの財布に関する。
【背景技術】
【０００２】
従来から、硬貨、紙幣およびカード等を収納するための財布として折り畳み形式のものが用いられている。このような財布は、折り畳まれた部分を開くことにより硬貨や紙幣の収納部を露出させて各収納部から硬貨や紙幣等を取り出したり各収納部に硬貨や紙幣を収納したりするようになっている（例えば、特許文献１を参照）。また、このような折り畳み形式の財布として、２つ折りの財布や３つ折りの財布が広く用いられている。
【先行技術文献】
【特許文献】
【０００３】
【特許文献１】特開２００４−２４８８８８号公報
【発明の概要】
【発明が解決しようとする課題】
【０００４】
しかしながら、従来の折り畳み形式の財布はファスナーやホックにより閉じられるようになっている。このため、財布を開くときには一方の手で財布を保持した状態においてもう一方の手でファスナーやホックによる固定を外し、その後に折り畳まれた部分を開く必要がある。このように、従来の折り畳み形式の財布は開くときに両手を用いる必要があり、またファスナーやホックを外す動作を行う必要があるため折り畳み形式の財布を開くのに手間がかかってしまうという問題がある。
【０００５】
本発明はこのような点を考慮してなされたものであり、片手で容易に開くことのできる２つ折りの財布を提供することを目的とする。
【課題を解決するための手段】
【０００６】
本発明の財布は、少なくとも硬貨を収納するための財布であって、第１部分および第２部分を有しており、前記第２部分に硬貨を収納するための収納部が設けられており、前記第１部分が前記第２部分に折り畳まれることにより２つ折り状態となる本体と、２つ折り状態となっているときの前記本体の内側に設けられ、第３部分および第４部分を有しており、前記第３部分を前記第４部分に折り畳むことができるようになっており、前記第４部分が前記第２部分または前記収納部に取り付けられた補強部材と、を備え、前記本体が２つ折り状態となっているときに、前記補強部材の前記第４部分が押圧されると前記第３部分が前記第４部分から開くことにより前記第１部分が前記第３部分により押されて前記本体が２つ折りの状態から開くことを特徴とする。
【０００７】
このような財布によれば、本体が２つ折り状態となっているときに、補強部材の第４部分を押圧するだけで、第３部分が第４部分から開くことにより第１部分が第３部分により押されて本体が２つ折りの状態から開くため、財布を片手で容易に開くことができる。
【０００８】
本発明の財布においては、前記補強部材は、前記第４部分の両側部が互いに接近する方向に押圧されると前記第３部分が前記第４部分から開くような構成となっていてもよい。
【０００９】
この場合、前記補強部材の前記第４部分には折り目が形成されており、前記補強部材は、前記第４部分の両側部が互いに接近する方向に押圧されたときに当該第４部分が前記折り目に沿って変形することにより前記第３部分が前記第４部分から開くようになっていてもよい。
【００１０】
また、前記第４部分に形成されている前記折り目の前記第３部分への延長線は、前記第３部分と前記第４部分との間の境界線と交差するようになっていてもよい。
【００１１】
本発明の財布においては、前記補強部材の前記第３部分には、前記本体が開かれたときに硬貨が落ちないよう受け止めるための受け部分が設けられていてもよい。
【００１２】
この場合、前記補強部材の前記第３部分には折り目が形成されており、前記補強部材において、前記第４部分が押圧されたときに前記受け部分が前記第３部分から離間する方向に移動することにより硬貨を受け止めるための空間が形成されるようになっていてもよい。
【発明の効果】
【００１３】
本発明の財布によれば、片手で容易に開くことができる。
【図面の簡単な説明】
【００１４】
【図１】本発明の実施の形態による財布の構成を示す正面図である。
【図２】図１に示す財布を裏側から見たときの構成を示す背面図である。
【図３】図１等に示す財布の本体および補強部材をそれぞれを開いたときの構成を示す正面図である。
【図４】図１等に示す財布の本体を開いたが補強部材が２つ折りとなっているときの構成を示す正面図である。
【図５】図１等に示す財布の補強部材を展開したときの構成を示す正面図である。
【図６】図５に示す補強部材を組み立てたときの構成を示す正面図である。
【図７】図５等に示す補強部材の第４部分を押圧したときの状態を示す構成図である。
【図８】図１等に示す財布を開いて硬貨を取り出すときの動作を説明するための説明図である。
【図９】図８に示す状態に引き続く、図１等に示す財布を開いて硬貨を取り出すときの動作を説明するための説明図である。
【図１０】図９に示す状態に引き続く、図１等に示す財布を開いて硬貨を取り出すときの動作を説明するための説明図である。
【図１１】図１０に示す状態に引き続く、図１等に示す財布を開いて硬貨を取り出すときの動作を説明するための説明図である。
【図１２】図１１に示す状態に引き続く、図１等に示す財布を開いて硬貨を取り出すときの動作を説明するための説明図である。
【図１３】図１等に示す財布から紙幣やカードを取り出すときの動作を説明するための説明図である。
【図１４】図１等に示す財布から紙幣やカードを取り出すときの動作を説明するための説明図である。
【図１５】図１等に示す財布を携帯する方法の一例を概略的に示す正面図である。
【発明を実施するための形態】
【００１５】
以下、図面を参照して本発明の実施の形態について説明する。図１乃至図１５は、本実施の形態による財布を説明するための図である。なお、図４、図１３および図１４においてカードを参照符号Ｃにより示しており、図９乃至図１４において紙幣を参照符号Ｐで示しており、図１２において硬貨を参照符号Ｄで示している。
【００１６】
本実施の形態の財布１は２つ折りの財布であるが、本明細書においては、図１や図２等に示すような２つ折りの状態を「財布が閉じている」状態と表現し、図３や図４に示すような状態を「財布が開いている状態」と表現する。また、図１や図２に示す状態から図３や図４に示す状態となるよう財布１を変形させることを「財布を開く」と表現し、図３や図４に示す状態から図１や図２に示す状態となるよう財布１を変形させることを「財布を閉じる」と表現する。また、財布１を閉じているときに外部に露出している側を「外側」と表現し、財布１を開いたときにはじめて外部に露出する側を「内側」と表現する。また、図１５に示すように、財布１は２つに折られた状態でシャツの胸ポケットやズボンのポケット等に入れられて携帯されるようになっている。
【００１７】
図１乃至図４等に示すように、財布１は、本体１０と、本体１０の内側に設けられた補強部材３０と、本体１０および補強部材３０を２つ折りの状態で保持するためのゴム紐２０（すなわち、保持部材）とを有している。また、本体１０は皮革等の材料から構成されており、補強部材３０は例えばポリプロピレンシート等の可撓性を有する材料から構成されている。また、本体１０は第１部分１１および第２部分１２から構成されており、第１部分１１を第２部分１２に対して回転させることにより本体１０を開いたり閉じたりすることができるようになっている。また、補強部材３０は第３部分３１および第４部分３２を有しており、第３部分３１を第４部分３２に対して回転させることにより補強部材３０を開いたり閉じたりすることができるようになっている。また、補強部材３０は２つ折り状態となっているときの本体１０の内側に設けられている。また、本体１０の第２部分１２と補強部材３０の第４部分３２との間には、ポリプロピレンシート等の仕切部材４０が設けられており、補強部材３０の第４部分３２と仕切部材４０との間に紙幣収納空間が形成されている。
【００１８】
また、本体１０の第２部分１２に取り付けられたゴム紐２０を第１部分１１に掛けることにより、財布１が閉じられた状態で保持されるようになっている（図１および図２参照）。後述するように、本実施の形態の財布１においては、このゴム紐２０は補強部材３０の第４部分３２が押圧されたときに本体１０の第１部分１１から自動的に外れるようになっている。なお、本実施の形態においては、ゴム紐２０が切れたり伸びたりしてしまった場合にこのゴム紐２０を交換することができるようになっている。また、ゴム紐２０により財布１を閉じた状態で保持することができるため、財布１が使用者の意図していないタイミングで開いてしまうことを防止することができる。
【００１９】
また、本体１０の第１部分１１の内側にはカード等の略長方形の媒体を収納するためのカード収納部１４が設けられており、このカード収納部１４には複数（例えば、２枚）のカードが収納できるようになっている。また、本体１０の第２部分１２の内側にはポケット（収納部）１６が形成されており、このポケット１６の内部に、補強部材３０の第４部分３２および仕切部材４０がそれぞれ取り付けられている。より詳細には、図３に示すように、財布１を開いたときに手前から順に補強部材３０および仕切部材４０が位置するよう、補強部材３０および仕切部材４０が配置されるようになっている。
【００２０】
また、紙幣収納空間には財布１を開いた状態において紙幣等を収納するようになっている（図１３および図１４参照）。上述したように、補強部材３０および仕切部材４０がそれぞれポリプロピレンシート等の材料から形成されているため、補強部材３０や仕切部材４０と紙幣との間に働く摩擦力が比較的小さくなる。このため、皮革と皮革との間に紙幣を収納するような場合と比較して、紙幣収納空間に紙幣を容易に収納したり取り出したりすることができるようになっている。
【００２１】
また、仕切部材４０は、幅の大きさ（すなわち、図３および図４における左右方向の大きさ）が補強部材３０よりも僅かに大きくなるよう形成されている。また、仕切部材４０は、ポケット１６の内面に取り付けられたときに上端縁がカード収納部１４に接触しないような長さ（すなわち、図３および図４における上下方向の大きさ）に形成されている。このことにより、仕切部材４０がカードを収納したり取り出す動作の妨げとなってしまうことが防止できるようになっている。
【００２２】
また、図１４に示すように、財布１の使用者は、ゴム紐２０を本体１０から外すことなくカード収納部１４に収納されたカードおよび紙幣収納空間に収納された紙幣にアクセスすることができるようになっている。より具体的には、本体１０の第１部分１１はゴム紐２０により押さえられている箇所の近傍（言い換えると、カード収納部１４の端部の近傍）を中心として折り返すことができるようになっており、このように第１部分１１を折り返すことによって財布１に収納されているカードや紙幣等にアクセスすることができるようになっている。このことにより、紙幣やカードのみを取り出す際に毎回財布１を完全に開くことなく支払い等を済ませることができ、よって使用者にとっての財布１の利便性を向上させることができるようになっている。  
【００２３】
次に、図５乃至図７を参照して補強部材３０の構成について詳細に説明する。ここで、図５および図６は、それぞれ、図１等に示す財布１の補強部材３０を展開したときおよび組み立てたときの構成を示す正面図であり、図７は、補強部材３０の第４部分３２の両側部を挟み込むように押圧したときの状態を示す構成図である。
【００２４】
図５等に示すように、補強部材３０は第３部分３１と第４部分３２とを有しており、第４部分３２には略三角形形状の取付部３３が形成されている。また、第４部分３２を谷折りにしたときの取付部３３（図６参照）は、例えば粘着テープ等により本体１０のポケット１６の内面に取り付けられるようになっている。なお、補強部材３０の取付部３３を取り付ける方法は粘着テープによるものに限定されることはなく、ポケット１６に取付部３３を縫い付けること等により取付部３３をポケット１６に取り付けるようにしてもよい。また、補強部材３０の第４部分３２が本体１０の第２部分１２に取り付けられるようになっていてもよい。また、補強部材３０の第４部分３２が本体１０のポケット１６の内面または本体１０の第２部分１２から取り外すことができるようになっていてもよい。
【００２５】
また、補強部材３０の第４部分３２と本体１０のポケット１６の内面との間には、財布１が閉じられた状態において硬貨等を収納するための硬貨収納空間が形成されている。また、財布１の使用者は、２つ折りの状態から本体１０および補強部材３０を開くことにより硬貨収納空間を外部に露出させ、この露出した硬貨収納空間に硬貨を投入した後に財布１を閉じることによって硬貨を財布１に収納するようになっている。
【００２６】
図５に示すように、補強部材３０は１枚のシートから形成されており、補強部材３０に形成された折り目にそって受け部分３６等を折ることによって図６に示すような形状に組み立てることができるようになっている。このように、補強部材３０が１枚のシートから形成されていることにより、補強部材３０を製造する際の手間やコストを低減させることができる。また、財布１から硬貨を取り出す際には、財布１を開いた状態で受け部分３６側を下げるよう傾けるようになっている。このように財布１を傾けることにより、財布１に収納されている硬貨は硬貨収納空間から受け部分３６に向かって移動するようになる。そして、この移動した硬貨が受け部分３６に受け止められるようになっており、使用者はこの状態において財布１から硬貨を取り出すようになっている（図１２参照）。このように、補強部材３０に受け部分３６が形成されているため、財布１から容易に硬貨を取り出すことができるとともに、硬貨を取り出す際に硬貨が財布１からこぼれて地面等に落下してしまうことを防止することができる。
【００２７】
また、補強部材３０の第３部分３１には折り目３１ａが形成されており、第４部分３２には折り目３２ａが形成されている。このような折り目３１ａ、３２ａにより、補強部材３０の第４部分３２の両側部が互いに接近する方向に押圧されたときに、第３部分３１が第４部分３２から開くことにより本体１０の第１部分１１が第３部分３１により押されて本体１０が２つ折りの状態から開くようになっている。また、この際に、受け部分３６が第３部分３１から離間する方向に移動することによって受け部分３６と第３部分３１との間に硬貨を受け止めるための空間が形成されるようになっている。言い換えると、補強部材３０の第４部分３２の両側部を挟み込むように押圧したときに、受け部分３６が第３部分３１から立ち上がるようになっており、この受け部分３６によって硬貨が受け止められるようになっている。このように、補強部材３０の第４部分３２の両側部が挟み込むよう押圧されたときに硬貨を受け止めるための空間が形成されるため、閉じられた状態の財布１の厚みを薄くすることができる。すなわち、補強部材３０において常に硬貨を受け止めるための空間が形成されていると（すなわち、受け部分３６が常に立ち上がった状態にあると）、財布１を閉じた状態においても受け部分３６が立ち上がった高さの分だけ財布１の厚みが増大してしまうが、財布１が開かれた状態においてのみ受け部分３６が第３部分３１から立ち上がるよう財布１を構成することにより、閉じられた状態の財布１の厚みを薄くしている。このような構成を実現するための補強部材３０の第３部分３１の折り目３１ａおよび第４部分３２の折り目３２ａについて以下に詳しく説明する。
【００２８】
図５等に示すように、補強部材３０の第４部分３２の折り目３２ａは一対の略双曲線形状となっている。また、折り目３２ａはいわゆる谷折り形状の折り目となっており、第４部分３２の両側部が両側から挟み込まれるように押圧されたときに、折り目３２ａを境界として当該折り目３２ａと第４部分３２の両側部との間の領域が盛り上がるようになっている（図７参照）。また、折り目３２ａを第３部分３１まで伸ばしたときの延長線は第３部分３１に入るようになっている。言い換えると、折り目３２ａを第３部分３１まで伸ばしたときの延長線は、補強部材３０の第３部分３１と第４部分３２とを区画する直線と交差するよう延びている。
【００２９】
また、補強部材３０の第３部分３１の折り目３１ａは３本の直線から構成された略Ｙ字形状となっている。また、折り目３１ａはいわゆる谷折り形状の折り目となっている。より具体的には、折り目３１ａは、第３部分３１の２つの隅部からそれぞれ第３部分３１の中央近傍に向かって略直線状に延びる部分と、上記の各部分が合流する箇所から第４部分３２に向かって略直線状に延びる部分とから形成されている。また、折り目３１ａのうち、第４部分３２に向かって略直線状に延びる部分は第４部分３２に入るようになっている。また、組み立てられた状態の受け部分３６の下端部は第４部分３２に入るよう形成されている。このように各折り目３１ａ、３２ａが形成されているため、補強部材３０の第４部分３２の両側部が挟み込むよう押圧されたときに、受け部分３６と第３部分３１との間に硬貨を受け止めるための空間が形成されるようになっている。すなわち、補強部材３０において、折り目３２ａを第３部分３１まで伸ばしたときの延長線が第３部分３１と第４部分３２とを区画する直線と交差するよう伸びており、かつ第３部分３１に形成された受け部分３６の下端部が第４部分３２に進出するようになっている。このため、使用者が補強部材３０の第４部分３２を挟み込むよう押圧したときに第４部分３２に加えられた力の一部が折り目３２ａに沿って第３部分３１に伝わり、このことにより受け部分３６が立ち上がって第３部分３１から離間する方向に移動し、よって受け部分３６と第３部分３１との間に硬貨を受け止めるための空間が形成される。また、折り目３１ａのうち、第４部分３２に向かって略直線状に延びる部分が第４部分３２に入るようになっているため、受け部分３６と第３部分３１との間に硬貨を受け止めるための空間を形成する動作が補助されるようになっている。
【００３０】
また、補強部材３０の第４部分３２の両側部が挟み込まれるように押圧されたときに、折り目３２ａと第４部分３２の両側部との間の箇所が盛り上がるようになっている。このため、補強部材３０を閉じた状態（すなわち、２つに折りたたんだ状態）において補強部材３０の両側部を挟み込むよう押圧することにより補強部材３０を閉じた状態から開くことができるようになっている。より詳細には、補強部材３０が２つ折りにされた状態において第３部分３１（より具体的には、受け部分３６）は第４部分３２と接触しているが、この状態において第４部分３２が挟み込むよう押圧されると第４部分３２の一部が盛り上がるため、この盛り上がった第４部分３２の箇所によって第３部分３１も変形し、このことにより補強部材３０が閉じられた状態から開かれるようになっている。
【００３１】
このように、本実施の形態の財布１においては、本体１０の第２部分１２および補強部材３０の第４部分３２の両側部を挟み込むよう押圧する動作が、財布１を開く動作および受け部分３６を立ち上げさせる動作を兼ねるようになっている。このような財布を開く動作の詳細について図８乃至図１２を参照して説明する。
【００３２】
まず、使用者は閉じられた状態の財布１を片手の手のひらの上に載置する。そして、親指、中指および薬指等により財布１の本体１０の第２部分１２を挟み込むように把持する（図８参照）。その後、本体１０の第２部分１２の両側部を挟み込むよう押圧する。このように本体１０の第２部分１２を押圧すると、補強部材３０の第４部分３２も同じように押圧される。上述したように、補強部材３０の第４部分３２が両側部から挟み込まれるように押圧されると、第３部分３１が第４部分３２から開くことにより本体１０の第１部分１１が第３部分３１により押されて財布１の本体１０が閉じた状態から開かれる（図９および図１０参照）。なお、本体１０および補強部材３０が開かれるときに、ゴム紐２０が本体１０の第１部分１１から自動的に外れるようになっている。
【００３３】
図１０に示す状態において本体１０の第２部分１２を押圧する力を緩めると、財布１は図１１に示す形状となるよう変形する。そして、補強部材３０の受け部分３６側を下げるよう財布１を傾けることにより、ポケット１６と補強部材３０の第４部分３２との間に形成された硬貨収納空間から補強部材３０の受け部分３６に向かって硬貨を移動させる。上述したように、補強部材３０の第４部分３２を挟み込むよう押圧することにより受け部分３６と第３部分３１との間に硬貨を受け止めるための空間が形成されるため、硬貨収納空間から受け部分３６に向かって案内された硬貨が財布１からこぼれて地面等に落下することはない。このように、使用者は財布１を片手で開いた後に傾けるだけで財布１に収納された硬貨を視認することができ、またもう一方の手で硬貨を容易に取り出すことができるようになるため、スムーズに支払い等を行うことができる。
【００３４】
また、支払いに紙幣やカードが必要である場合には、硬貨収納空間から硬貨を取り出す前または取り出した後に補強部材３０のみを手動で折り畳むことにより紙幣にアクセスできるようにして紙幣を用いた支払いを行うようにする。なお、上述したように、カードや紙幣のみにより支払いを行う場合にはゴム紐２０が本体１０の第１部分１１から外れるよう財布１を完全に開く必要はなく、本体１０の第１部分１１を折り返すことによってカードまたは紙幣のみにアクセスして支払いをする。
【００３５】
ここで、従来の２つ折りや３つ折りの財布は折り畳まれた部分を開くことにより硬貨や紙幣等を取り出したり収納したりするようになっているが、このような従来の折り畳み形式の財布はファスナーやホックにより閉じられるようになっている。このため、財布を開くときには一方の手で財布を保持した状態においてもう一方の手でファスナーやホックによる固定を外し、その後に２つ折りの部分を開く必要があるという問題があった。また、ファスナーやホックを外す動作を行う必要があるため２つ折りの財布を開くのに手間がかかってしまうという問題があった。これに対し、本実施の形態の財布１によれば、本体１０が２つ折り状態となっているときに、補強部材３０の第４部分３２を押圧するだけで、第３部分３１が第４部分３２から開くことにより第１部分１１が第３部分３１により押されて本体１０が２つ折りの状態から開くため、財布１を片手で容易に開くことができる。
【００３６】
また、本実施の形態では、様々な姿勢の財布１を片手で開くことができるため、ポケット等から取り出したときの財布１の姿勢を問題とすることなく財布１を開くことができる。言い換えると、もし仮に適切に財布を開くことができる姿勢が決まっている場合には、ポケット等から財布を取り出した後、財布を適切な姿勢とした後に開く必要があるが、本実施の形態の財布１は様々な姿勢において適切に開くことができるためこのような問題が発生しない。例えば、図８に示す状態の財布１を１８０度反転させることにより本体１０の２つ折りの箇所を手前側に向けた姿勢においても、補強部材３０の第４部分３２の両側部を互いに接近する方向に押圧することにより財布１を開くことができるようになっている。
【００３７】
以上のような構成からなる、本実施の形態による少なくとも硬貨を収納するための財布１は、本体１０が２つ折り状態となっているときに、補強部材３０の第４部分３２が押圧されると第３部分３１が第４部分３２から開くことにより第１部分１１が第３部分３１により押されて本体１０が２つ折りの状態から開くようになっているため、片手で容易に開くことができる。
【００３８】
また、上述したように、補強部材３０は、第４部分３２の両側部が互いに接近する方向に押圧されると第３部分３１が第４部分３２から開くような構成となっている。より具体的には、補強部材３０の第４部分３２には折り目３２ａが形成されており、補強部材３０は、第４部分３２の両側部が互いに接近する方向に押圧されたときに当該第４部分３２が折り目３２ａに沿って変形することにより第３部分３１が第４部分３２から開くようになっている。また、第４部分３２に形成されている折り目３２ａの第３部分３１への延長線が第３部分３１と第４部分４２との間の境界線と交差するようになっているため、第４部分３２に加えられた力が効率的に第３部分３１に伝えられるようになっている。
【００３９】
また、上述したように、補強部材３０の第３部分３１には、本体１０が開かれたときに硬貨が落ちないよう受け止めるための受け部分３６が設けられているため、財布１から硬貨を取り出す際に硬貨が財布１からこぼれて地面等に落下してしまうことを防止することができるようになっている。より具体的には、補強部材３０の第３部分３１には折り目３２ａが形成されており、補強部材３０において、第４部分３２が押圧されたときに受け部分３６が第３部分３１から離間する方向に移動することにより硬貨を受け止めるための空間が形成されるようになっている。このように、財布１が閉じられた状態においては上記の空間が形成されないため、閉じた状態の財布１の厚みを薄くすることができる。
【００４０】
なお、本実施の形態による財布１は上述したような態様に限定されることはなく、様々な変更を加えることができる。
【００４１】
例えば、補強部材３０に形成された折り目の形状は上述した折り目３１ａ、３２ａの形状に限定されることはなく、他の形状の折り目を有する補強部材を用いるようにしてもよい。
【００４２】
また、財布１にカード当を収納しない場合にはカード収納部１４が省略されるようになっていてもよく、財布１に紙幣等を収納しない場合には仕切部材４０が省略されるようになっていてもよい。
【００４３】
また、一枚のシートから補強部材３０を形成する代わりに、複数の部分からなる部材を組み合わせて上述した補強部材３０と同等のものを構成するようにしてもよい。
【００４４】
また、保持部材は上述したゴム紐２０に限定されることはない。所定の大きさよりも大きい力が加えられたときに保持状態を解除することができるものであれば、磁石、面ファスナー、ホック等の、他の構成の保持部材を用いるようにしてもよい。また、保持部材の設置が省略されてもよい。
【００４５】
また、上述した本体１０は皮革等の材料から構成されているが、他の材料から本体を構成するようにしてもよい。また。上述した補強部材３０はポリプロピレンシートから構成されているが、例えば紙等の他の種類の材料を用いて補強部材を構成するようにしてもよい。
【符号の説明】
【００４６】
１      財布
１０    本体
１１    第１部分
１２    第２部分
１４    カード収納部
１６    ポケット
２０    ゴム紐
３０    補強部材
３１    第３部分
３１ａ  折り目
３２    第４部分
３２ａ  折り目
３３    取付部
３６    受け部分
４０    仕切部材
【図１】
2020031807.tif 000003
【図２】
2020031807.tif 000004
【図３】
2020031807.tif 000005
【図４】
2020031807.tif 000006
【図５】
2020031807.tif 000007
【図６】
2020031807.tif 000008
【図７】
2020031807.tif 000009
【図８】
2020031807.tif 000010
【図９】
2020031807.tif 000011
【図１０】
2020031807.tif 000012
【図１１】
2020031807.tif 000013
【図１２】
2020031807.tif 000014
【図１３】
2020031807.tif 000015
【図１４】
2020031807.tif 000016
【図１５】
2020031807.tif 000017
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
少なくとも硬貨を収納するための財布であって、
第１部分および第２部分を有しており、前記第２部分に硬貨を収納するための収納部が設けられており、前記第１部分が前記第２部分に折り畳まれることにより２つ折り状態となる本体と、
２つ折り状態となっているときの前記本体の内側に設けられ、第３部分および第４部分を有しており、前記第３部分を前記第４部分に折り畳むことができるようになっており、前記第４部分が前記第２部分または前記収納部に取り付けられた補強部材と、
を備え、
前記本体が２つ折り状態となっているときに、前記補強部材の前記第４部分の両側部が互いに接近する方向に押圧されると前記第３部分が前記第４部分から開くことにより前記第１部分が前記第３部分により押されて前記本体が２つ折りの状態から開くようになっており、
前記補強部材の前記第４部分には、前記第３部分に近づくにつれて前記第４部分の中央から両側部に向かって斜めに延びる折り目が形成されており、前記折り目の前記第３部分への延長線は、前記第３部分と前記第４部分との間の境界線と交差し、
前記補強部材は、前記第４部分の両側部が互いに接近する方向に押圧されたときに当該第４部分が前記折り目に沿って変形することにより前記第３部分が前記第４部分から開くようになっている、財布。
【請求項２】
前記補強部材の前記第３部分には、前記本体が開かれたときに硬貨が落ちないよう受け止めるための受け部分が設けられている、請求項１記載の財布。
【請求項３】
前記補強部材の前記第３部分には折り目が形成されており、
前記補強部材において、前記第４部分が押圧されたときに前記受け部分が前記第３部分から離間する方向に移動することにより硬貨を受け止めるための空間が形成される、請求項２記載の財布。
【手続補正２】
【補正対象書類名】明細書
【補正対象項目名】０００６
【補正方法】変更
【補正の内容】
【０００６】
本発明の財布は、少なくとも硬貨を収納するための財布であって、第１部分および第２部分を有しており、前記第２部分に硬貨を収納するための収納部が設けられており、前記第１部分が前記第２部分に折り畳まれることにより２つ折り状態となる本体と、２つ折り状態となっているときの前記本体の内側に設けられ、第３部分および第４部分を有しており、前記第３部分を前記第４部分に折り畳むことができるようになっており、前記第４部分が前記第２部分または前記収納部に取り付けられた補強部材と、を備え、前記本体が２つ折り状態となっているときに、前記補強部材の前記第４部分の両側部が互いに接近する方向に押圧されると前記第３部分が前記第４部分から開くことにより前記第１部分が前記第３部分により押されて前記本体が２つ折りの状態から開くようになっており、前記補強部材の前記第４部分には、前記第３部分に近づくにつれて前記第４部分の中央から両側部に向かって斜めに延びる折り目が形成されており、前記折り目の前記第３部分への延長線は、前記第３部分と前記第４部分との間の境界線と交差し、前記補強部材は、前記第４部分の両側部が互いに接近する方向に押圧されたときに当該第４部分が前記折り目に沿って変形することにより前記第３部分が前記第４部分から開くようになっていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】